(57)【要約】【課題】装飾体の変位量を大きくできる演出装置及び遊技機を提供する。【解決手段】演出装置３０は可動装飾体を上下動させる装置である。演出装置３０は固定部材９０、移動部材１１０、回転部材８１、及びアーム部材７０を備える。固定部材９０は、上下方向に延びる歯部９２を有し、所定位置で固定される。移動部材１１０は、可動装飾体が取り付けられ且つ上下動可能な部材である。移動部材１１０は歯部１１２を備える。歯部１１２は、歯部９２に対して隙間を挟んで対向する位置にて、上下方向に直線状に延びる。回転部材８１は、歯部９２と歯部１１２の間に配置される。回転部材８１の噛合部８１Ａは、歯部９２，１１２と噛み合う。回転部材８１は、アーム部材７０の回転に伴って回転しながら上下動する。これにより、移動部材１１０は上下動する。【選択図】図５
2020006246.tif 000002
【特許請求の範囲】
【請求項１】
装飾体を変位させる演出装置であって、
所定の位置で固定され、第一所定方向に直線状に延びる第一歯部と、
前記第一歯部と間隔を空けて対向する位置で前記第一所定方向に直線状に延びる第二歯部を有し、前記第一所定方向の直線移動に伴い前記装飾体を変位させる移動部材と、
前記第一歯部と前記第二歯部が対向する方向と、前記第一所定方向との夫々と直交する第二所定方向に延びる第一軸線を中心に回転する部材であって、回転方向に延びる噛合部を有し、前記噛合部は、前記第一歯部と前記第二歯部に噛み合う回転部材と、
前記回転部材を支持する支持部材と、
前記支持部材に対して、前記第一所定方向と前記第二所定方向の夫々と交差する第三所定方向に相対移動可能に連結する部位である連結部位を有し、前記第一軸線とは異なる第二軸線を中心に回転する作動部材と
を備え、
前記作動部材は、前記連結部位に設けられ、前記第三所定方向に長い開口部を備え、
前記支持部材は、前記開口部に対して、前記第三所定方向に相対移動可能に挿入され、
前記第二所定方向に延びる筒状部を有する軸受部材を備え、
前記筒状部は、前記支持部材が挿入される挿入穴が内側に形成され、前記開口部に対して前記第三所定方向に相対移動可能に嵌り、
前記連結部位は、前記回転部材に対して、前記第二所定方向の一方側から対向し、
前記開口部は、前記連結部位を前記第二所定方向に貫通し、
前記支持部材を前記軸受部材に締結させる締結部材を備え、
前記筒状部は、前記開口部に対して回転可能に嵌り、
前記回転部材は、前記第二所定方向を向く孔部を備え、
前記支持部材は、
前記第二所定方向に延び、前記孔部に差し込まれ且つ前記挿入穴に挿入される延設部と、
前記延設部の一端部に設けられ、前記筒状部の前記回転部材とは反対側を向く締結穴と
を備え、
前記締結部材は、
前記締結穴に締結される軸部と、
前記軸部に設けられ、前記反対側の端部を押圧する頭部と
を備えることを特徴とする演出装置。
【請求項２】
前記頭部及び前記連結部位を前記第一軸線の方向から見た場合、前記頭部は、前記連結部位に対して前記反対側から重なる部位を備えたこと
を特徴とする請求項１に記載の演出装置。
【請求項３】
請求項１又は２に記載の演出装置を備えたことを特徴とする遊技機。
【発明の詳細な説明】
【技術分野】
【０００１】
本発明は演出装置及び遊技機に関する。
【背景技術】
【０００２】
従来、遊技機の演出装置として、装飾体を上下動させる演出装置が知られている。例えば、特許文献１に開示の演出装置は、アーム部、モータ、および可動装飾体を備える。アーム部は、モータの駆動に伴い、支軸を中心に揺動する。可動装飾体は、アーム部のうち支軸から離間する方向の一端部と連結する。可動装飾体は、アーム部の揺動に伴い、上下動する。
【先行技術文献】
【特許文献】
【０００３】
【特許文献１】特許第４６２４３８８号公報
【発明の概要】
【発明が解決しようとする課題】
【０００４】
しかしながら、上記演出装置では、可動装飾体は、前記アーム部の一端部の揺動量分しか上下動しない。従って、可動装飾体の上下方向の変位量が少なくなる場合がある。
【０００５】
本発明の目的は、装飾体の変位量を大きくできる演出装置及び遊技機を提供することである。
【課題を解決するための手段】
【０００６】
本発明の第一態様に係る演出装置は、装飾体を変位させる演出装置であって、所定の位置で固定され、第一所定方向に直線状に延びる第一歯部と、前記第一歯部と間隔を空けて対向する位置で前記第一所定方向に直線状に延びる第二歯部を有し、前記第一所定方向の直線移動に伴い前記装飾体を変位させる移動部材と、前記第一歯部と前記第二歯部が対向する方向と、前記第一所定方向との夫々と直交する第二所定方向に延びる第一軸線を中心に回転する部材であって、回転方向に延びる噛合部を有し、前記噛合部は、前記第一歯部と前記第二歯部に噛み合う回転部材と、前記回転部材を支持する支持部材と、前記支持部材に対して、前記第一所定方向と前記第二所定方向の夫々と交差する第三所定方向に相対移動可能に連結する部位である連結部位を有し、前記第一軸線とは異なる第二軸線を中心に回転する作動部材とを備え、前記作動部材は、前記連結部位に設けられ、前記第三所定方向に長い開口部を備え、前記支持部材は、前記開口部に対して、前記第三所定方向に相対移動可能に挿入され、前記第二所定方向に延びる筒状部を有する軸受部材を備え、前記筒状部は、前記支持部材が挿入される挿入穴が内側に形成され、前記開口部に対して前記第三所定方向に相対移動可能に嵌り、前記連結部位は、前記回転部材に対して、前記第二所定方向の一方側から対し、前記開口部は、前記連結部位を前記第二所定方向に貫通し、前記支持部材を前記軸受部材に締結させる締結部材を備え、前記筒状部は、前記開口部に対して回転可能に嵌り、前記回転部材は、前記第二所定方向を向く孔部を備え、前記支持部材は、前記第二所定方向に延び、前記孔部に差し込まれ且つ前記挿入穴に挿入される延設部と、前記延設部の一端部に設けられ、前記筒状部の前記回転部材とは反対側を向く締結穴とを備え、前記締結部材は、前記締結穴に締結される軸部と、前記軸部に設けられ、前記反対側の端部を押圧する頭部とを備えることを特徴とする。
【０００７】
上記構成によれば、作動部材が第二軸線を中心に回転すると、回転部材は、第一軸線を中心に回転しながら、第一所定方向に直線移動する。移動部材の直線移動量は、回転部材の直線移動量と回転部材の回転移動量とを合計した移動量になる。よって、装飾体の変位量を大きくできる演出装置が実現される。
【０００８】
前記演出装置において、作動部材が回転すると、支持部材が開口部に対して相対移動し、回転部材は回転しながら直線移動する。作動部材の回転に伴って回転部材が回転しながら直線移動する構造は、支持部材が開口部に相対移動可能に挿入される構造によって実現される。よって、演出装置は、装飾体を変位させる機構を簡易化できる。
【０００９】
前記演出装置において、開口部に軸受部材が嵌ることによって、支持部材は開口部に対して滑らかに相対移動できる。よって、演出装置は回転部材の変位をスムーズにできる。
【００１０】
前記演出装置は、前記頭部及び前記連結部位を前記第一軸線の方向から見た場合、前記頭部は、前記連結部位に対して前記反対側から重なる部位を備えてもよい。連結部位によって、回転部材は、一方側への変位が規制される。よって、演出装置は、回転部材の第一所定方向の直線移動を安定化できる。
【００１１】
本発明の第二態様に係る遊技機は、上記演出装置を備えたことを特徴とする。この場合、上記作用効果を奏する遊技機を提供できる。
【００１２】
なお、前記演出装置において、前記第一所定方向は、上下方向であり、前記作動部材は、自重による回転を規制された状態で、駆動手段の駆動により、前記第二軸線を中心に回転してもよい。また、前記軸受部材は、前記筒状部の前記回転部材とは反対側の端部に設けられると共に、前記反対側から前記連結部位と間隔を空けて対向する鍔部を備えてもよい。さらに、前記支持部材は、前記第二所定方向に延び、前記孔部に差し込まれ且つ前記挿入穴に挿入され、一端部が前記第二所定方向において前記鍔部と略同じ位置にある延設部を備えてもよい。さらに、前記締結部材は、前記軸部に設けられ、前記反対側から前記鍔部を押圧する頭部を備えてもよい。
【図面の簡単な説明】
【００１３】
【図１】パチンコ機１の正面図である。
【図２】遊技盤２の正面図である。
【図３】演出装置３０の斜視図である。
【図４】可動装飾体５５の図示を省略した演出装置３０の斜視図である。
【図５】演出装置３０の回転部８０を分解した斜視図である。
【図６】図４で示すＩ−Ｉ線の矢視方向における回転部８０の断面図である。
【図７】可動装飾体５５が下端位置にある演出装置３０の正面図である。
【図８】可動装飾体５５が上端位置にある演出装置３０の正面図である。
【発明を実施するための形態】
【００１４】
本発明の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。
【００１５】
図１および図２を参照し、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、発射機（図示外）に遊技球（図示外）を供給し、且つ賞球を受ける。上皿５の上部中央には、遊技者によって操作される操作ボタン９が設けられている。上皿５の直下には、賞球を受ける下皿６が設けられている。下皿６の右横には、遊技球の発射を調整する発射ハンドル７が設けられている。前面枠１３の上部の左右の角には、スピーカ４８がそれぞれ設けられている。
【００１６】
遊技盤２の前面には、ガイドレール３で囲まれた略円形の遊技領域４が形成されている。発射機によって発射された遊技球は、遊技領域４内を流下する。遊技領域４の略中央に、枠状の装飾枠１４が配設されている。装飾枠１４の中央下側に、第一始動口１５が設けられている。第一始動口１５の直下に、開閉部材を備えた第二始動口１６が設けられている。第二始動口１６は、開閉部材が開放された場合にのみ遊技球が入賞可能である。第二始動口１６の下側に、遊技領域４の中央下端部まで流下した遊技球を回収するアウト口１７が設けられる。
【００１７】
遊技盤２の後面側には、ＬＣＤ（液晶ディスプレイ）等で構成される表示面２７を有する画像表示装置２８が設けられている。表示面２７は、正面視で装飾枠１４の内側に設けられ、前方に向けて画像を表示可能である。表示面２７には、特別図柄に基づく当たり判定（大当たり判定）の結果を遊技者に報知するための複数のデモ図柄が表示される。複数のデモ図柄は、遊技球が第一始動口１５および第二始動口１６のいずれかに入賞すると変動を開始し、その変動後に大当たり判定の結果に応じた組み合わせで確定表示される。
【００１８】
装飾枠１４の後方には、可動装飾体５５が設けられている。可動装飾体５５は、遊技盤２の後側に取り付けられる演出装置３０（図３参照）によって、上下動可能に支持される。演出装置３０は、画像表示装置２８およびスピーカ４８等と連動して、可動装飾体５５を上下動させる。これにより、演出装置３０は、報知演出等の様々な演出を実行する。尚、図２では、可動範囲の下端位置にある可動装飾体５５を実線によって図示し、可動範囲の上端位置にある可動装飾体５５を仮想線によって図示する。
【００１９】
遊技盤２の後面側には、主基板（図示外）、サブ基板（図示外）等が設けられている。主基板はパチンコ機１の主制御を司る。主基板には、各種の演算処理を実行するＣＰＵ、データを一時的に記憶するＲＡＭ、および制御プログラム等を記憶したＲＯＭが設けられている。サブ基板は、主基板と電気的に接続されている。サブ基板は、主基板と同様に、ＣＰＵ、ＲＡＭ、およびＲＯＭが設けられている。サブ基板は、主基板から送信されるコマンドに従って、演出装置３０等を動作させ、演出に関する総合的な制御を実行する。
【００２０】
図３〜図６を参照し、演出装置３０の構成を説明する。尚、図４及び図５では可動装飾体５５の図示を省略している。図３および図４に示すように、演出装置３０は支持部材６０を備える。支持部材６０は、正面視で左右方向に長い略矩形状の板状部材であり、装飾枠１４（図２参照）の下部の後側で固定されている。
【００２１】
支持部材６０の左下部には、モータ６２が設けられている。モータ６２の出力軸（図示外）には、駆動ギヤ６４（図５参照）が固定されている。モータ６２の右上側には、正面視で円形状の動作部材６６が設けられている。動作部材６６は、前後方向に延びる軸線Ａを中心に回転可能である。動作部材６６の周端部の一部には、軸線Ａを中心とした回転方向に延びるギヤ歯６６Ａが形成されている。ギヤ歯６６Ａは、駆動ギヤ６４と噛み合っている。従って、モータ６２の回転駆動に伴い、動作部材６６は軸線Ａを中心に回転する。
【００２２】
動作部材６６は、検知部６９（図５参照）とピン６８が設けられている。検知部６９は、動作部材６６の周端部のうちギヤ歯６６Ａと異なる部位から、軸線Ａとは反対側へ突出する略矩形状の板状体である。本例の検知部６９は、動作部材６６と一体的に形成されている。ピン６８は、軸線Ａと検知部６９の間で、動作部材６６から前方へ突出する円柱体である。動作部材６６は、ピン６８が軸線Ａの略真下となる回転位置である第一回転位置（図３〜図５参照）にある場合、検知部６９はセンサ６７によって検知される。本例のセンサ６７は、モータ６２の右方で支持部材６０に取り付けられた透過型のセンサである。
【００２３】
センサ６７の上方且つ動作部材６６の前方には、アーム部材７０が設けられている。アーム部材７０は略左右方向に延びる正面視で略矩形状の部材である。アーム部材７０は筒状部７１を備える。筒状部７１は、前後方向に延びる円筒体であり、アーム部材７０の左端部を形成する。筒状部７１の内側には、支持部材６０から前方に突出する支軸７２が挿入されている。支軸７２は、筒状部７１を回転可能に支持している。従って、アーム部材７０は、支軸７２の軸線である軸線Ｂを中心として回転可能である。以下、アーム部材７０の長手方向を、アーム延設方向という。アーム延設方向は、軸線Ｂと直交する。尚、軸線Ｂは軸線Ａと略同じ高さにある。
【００２４】
アーム部材７０のアーム延設方向の略中央部には、穴部７３が形成されている。穴部７３は、アーム延設方向に長い長穴であり、アーム部材７０を前後方向に貫通している。穴部７３には、ピン６８が挿入されている。穴部７３の短径は、ピン６８の外径よりも僅かに大きい。従って、動作部材６６が回転する場合、ピン６８は、穴部７３の内側に形成された壁面に対して摺動し且つ付勢する。これにより、ピン６８は、アーム部材７０を、支軸７２（つまり軸線Ｂ）を中心に回転させることができる。動作部材６６が第一回転位置にある場合、アーム部材７０は第一位置に位置する。アーム部材７０は、第一位置にある場合、軸線Ｂから右斜め下方に延びる（図７参照）。
【００２５】
アーム部材７０の右端部７５には、開口部７６が形成されている。開口部７６は、アーム延設方向に長い長穴であり、アーム部材７０を前後方向に貫通する。開口部７６には、回転部８０が取り付けられている。アーム部材７０が回転する場合、回転部８０は、上下方向に直線移動すると共に、軸線Ｃを中心に回転可能である。軸線Ｃは、前後方向に延びる軸線であり、回転部８０と共に上下方向に変位する。
【００２６】
図５および図６に示すように、回転部８０は、回転部材８１、支持部材８２、軸受部材８４、および締結部材８５を備える。回転部材８１は、右端部７５の後方に設けられる。回転部材８１は、正面視で軸線Ｃを中心とする略円形状である。回転部材８１の外周面には、周方向に亘って延びる歯部である噛合部８１Ａが形成されている。噛合部８１Ａは、後述の歯部９２，１１２と噛み合う（図７参照）。回転部材８１の中心部には孔部８１Ｂが形成されている。孔部８１Ｂは、正面視で軸線Ｃを中心とする略円形状である。孔部８１Ｂは前後方向を向く。
【００２７】
軸受部材８４は、軸線Ｃに沿って延びる筒状部８４Ａを備える。筒状部８４Ａは、開口部７６に嵌め込まれている。筒状部８４Ａの外径は、開口部７６の短径よりも僅かに小さい。筒状部８４Ａは、開口部７６に対してアーム延設方向に相対移動可能であり、且つ、開口部７６に嵌った状態で軸線Ｃを中心に回転可能である。筒状部８４Ａの後端は、右端部７５の後面よりも後方にあり、回転部材８１の前面と接触する（図６参照）。即ち、回転部材８１と右端部７５は、僅かな間隔を空けて互いに対向する。
【００２８】
筒状部８４Ａの内側には、筒孔８４Ｂが形成されている。筒孔８４Ｂの前端は前方を向く。筒状部８４Ａの外周面の前端部には、鍔部８４Ｃが設けられている。言い換えると、鍔部８４Ｃは、筒状部８４Ａのうち回転部材８１とは反対側の端部に設けられている。鍔部８４Ｃは、アーム部材７０の右端部７５と僅かな間隔を空けて前方から対向する（図６参照）。
【００２９】
支持部材８２は、回転部材８１を支持する部材であり、且つ、軸受部材８４によって支持される部材である。支持部材８２は、軸線Ｃに沿って延びる円柱状の延設部８２Ａを備える。延設部８２Ａは、回転部材８１の孔部８１Ｂに差し込まれている。従って、延設部８２Ａは、回転部材８１と一体的に回転可能である。延設部８２Ａは、筒状部８４Ａの筒孔８４Ｂに挿入されている。延設部８２Ａの前端は、前後方向において、軸受部材８４の前端（つまり鍔部８４Ｃの前端）と略同じ位置にある（図６参照）。延設部８２Ａの前端面には、締結穴８２Ｂが形成されている。延設部８２Ａの外周面の後端部には、鍔部である対向部８２Ｃが設けられる。対向部８２Ｃは、回転部材８１の後端面と対向して接触する。
【００３０】
締結部材８５は、支持部材８２を軸受部材８４に締結する。本例の締結部材８５は、ネジである。締結部材８５は、軸部８５Ａと、軸部８５Ａの後端部に設けられた頭部８５Ｂを備える。軸部８５Ａは軸線Ｃに沿って延びる。軸部８５Ａが延設部８２Ａの締結穴８２Ｂに締め付けられ、且つ頭部８５Ｂが軸受部材８４の鍔部８４Ｃを前方から押圧することによって、支持部材８２の対向部８２Ｃは、回転部材８１を後方から押圧する。これにより、締結部材８５は支持部材８２を軸受部材８４に締結する。軸受部材８４の筒状部８４Ａは開口部７６に対して相対移動可能且つ回転可能に嵌る。よって、回転部８０は、開口部７６に対してアーム延設方向に相対移動可能であり、且つ、軸線Ｃを中心に回転可能である。
【００３１】
図５および図７に示すように、固定部材９０は、動作部材６６の右側で支持部材６０に固定されている。本例の固定部材９０は、図示外のネジによって固定されている。この他に例えば、固定部材９０に設けられた係合爪を、支持部材６０に設けられた係合穴部に係合させることによって、固定部材９０は支持部材６０に固定されてもよい。固定部材９０は歯部９２を備える。歯部９２は、上下方向に直線状に延び、左側から回転部材８１の噛合部８１Ａと噛み合う。従って、アーム部材７０の回転力が、回転部８０の軸線Ｃを中心とした回転力と回転部８０の上下方向の移動力とに変換可能となる。尚、アーム部材７０が第一位置（図７参照）にある場合、回転部８０は可動範囲の下端位置にある。
【００３２】
回転部材８１の右側には、正面視で略矩形状の移動部材１１０が設けられている。移動部材１１０は、スライドレール１０５（図５参照）を介して、支持部材６０の右部に取り付けられている。より詳細には、スライドレール１０５の固定レールが支持部材６０の前面に固定されており、スライドレール１０５の可動レールが移動部材１１０の後面に固定されている。可動レールは、上下方向に沿って複数並ぶ転動部材（本例では球状部材）を介して、固定レールに取り付けられている。従って、移動部材１１０は、支持部材６０の前方で、上下方向に直線移動可能である。移動部材１１０の上端部には、可動装飾体５５が設けられている。従って、可動装飾体５５は、移動部材１１０と共に上下動可能である。  
【００３３】
移動部材１１０の左端部には、歯部１１２が形成されている。歯部１１２は、上下方向に直線状に延び、右側から噛合部８１Ａと噛み合う。つまり、歯部１１２は、回転部材８１が配置される空間を挟んで歯部９２と対向する。歯部９２，１１２が互いに対向する方向は、左右方向である。歯部１１２が噛合部８１Ａと噛み合うので、回転部材８１の回転及び上下動に伴って、移動部材１１０は上下動可能である。回転部８０が可動範囲の下端位置にある場合、移動部材１１０および可動装飾体５５は、可動範囲の下端位置にある。この場合、可動装飾体５５のうち上端部が、表示面２７の下端部と正面視で重なる（図２参照）。
【００３４】
移動部材１１０の下端部の右部には、爪部１１３が設けられている。爪部１１３は、移動部材１１０から後方に突出し更に下方に折れ曲がる。爪部１１３は支持部材６０の前方にある。支持部材６０の上端部のうち、爪部１１３の上方となる部位には、爪部６３（図５参照）が設けられている。爪部６３は、支持部材６０から前方に突出しさらに上方に折れ曲がる。爪部６３は、移動部材１１０の後方にある。爪部６３，１１３には、付勢部材１０１（図４参照）が取り付けられている。本例の付勢部材１０１は、上下方向に沿って弾性変形可能な引張バネである。付勢部材１０１の上端部は爪部６３に取り付けられ、下端部は爪部１１３に取り付けられる。付勢部材１０１は、移動部材１１０を上方に付勢する。尚、図５では、付勢部材１０１の図示は省略されている。
【００３５】
図７および図８を参照し、可動装飾体５５を可動範囲の下端位置か上端位置まで移動させる演出装置３０の動作を説明する。モータ６２は、回転駆動することによって、駆動ギヤ６４（図５参照）を正面視で時計回りに回転させる。第一回転位置にあった動作部材６６は、軸線Ａを中心に正面視で反時計回り（図７の矢印Ｘ方向）に回転する。動作部材６６の回転に伴い、ピン６８は穴部７３の長手方向に沿って右側へ移動する。ピン６８が穴部７３に沿って移動することで、第一位置にあったアーム部材７０は、軸線Ｂを中心に正面視で反時計回り（図７の矢印Ｙ方向）に回転する。
【００３６】
アーム部材７０の回転に伴って、開口部７６の内壁面は、回転部８０の筒状部８４Ａ（図５参照）を上方に付勢すると共に、回転部８０に対して右側に相対移動する。これにより、回転部８０は、軸線Ｃを中心に正面視で反時計回り（図７の矢印Ｚ方向）に回転しながら、上方に直線移動する。回転部８０は、開口部７６に対して、開口部７６の長手方向に沿って左側へ相対移動する。
【００３７】
尚、回転部材８１の噛合部８１Ａが、歯部９２，１１２と噛み合うので、アーム部材７０が回転しても、回転部８０の左右方向の位置は変わらない。また、軸受部材８４の鍔部８４Ｃは、アーム部材７０の右端部７５と間隔を空けて対向する。同様に、回転部材８１は右端部７５と間隔を空けて対向する。従って、回転部８０が軸線Ｃを中心に回転する場合に、鍔部８４Ｃと回転部材８１は、いずれも右端部７５と摺動しにくい。よって、回転部８０の回転に伴い、回転部８０と右端部７５との間で生じる摩擦力は、低減する。
【００３８】
回転部材８１が直線移動しながら回転移動することによって、移動部材１１０および可動装飾体５５は、可動範囲の下端位置から上方に直線移動する。付勢部材１０１が移動部材１１０を上方に付勢しているので、移動部材１１０および可動装飾体５５は上方に移動し易い。
【００３９】
アーム部材７０が、アーム延設方向が左右方向と略平行となる回転位置（図示外）を通過すると、ピン６８が穴部７３に対して相対移動する方向と、回転部８０が開口部７６に対して相対移動する方向は、いずれも切り替わる。つまり、ピン６８は、穴部７３に対して、穴部７３の長手方向に沿って左側へ相対移動し、回転部８０は、開口部７６に対して、開口部７６の長手方向に沿って右側へ相対移動する。
【００４０】
動作部材６６が、ピン６８が軸線Ａの略真上にある回転位置である第二回転位置（図８参照）まで回転すると、モータ６２は回転駆動を停止する。アーム部材７０は、正面視で軸線Ｂから右上方に延びる回転位置である第二位置（図８参照）にて停止し、回転部８０、移動部材１１０および可動装飾体５５は、いずれも可動範囲の上端位置まで移動する。
【００４１】
図２に示すように、可動装飾体５５が可動範囲の上端位置にある場合、可動装飾体５５は、表示面２７の下半分と正面視で重なる。可動装飾体５５は、可動範囲の下端位置から上端位置まで直線移動することによって、表示面２７の中心部に接近する。
【００４２】
移動部材１１０の直線移動量について説明する。例えば、本実施形態とは異なり、固定部材９０が設けられず、且つ回転部材８１が回転不能に右端部７５固定された場合であっても、アーム部材７０が回転すると、回転部材８１は回転することなく上方に直線移動し、移動部材１１０は上方に直線移動する。しかしながら、本例では、アーム部材７０の回転に伴って、回転部材８１は上方に直線移動しながら更に回転する。よって、移動部材１１０の直線移動量は、回転部材８１の回転移動量と、回転部材８１の上方への直線移動量とを合計した移動量となる。回転部材８１の回転移動量と、回転部材８１の上方への直線移動量は同じである。故に、移動部材１１０の直線移動量は、回転部材８１の上方への直線移動量の２倍となる。
【００４３】
演出装置３０が可動装飾体５５を可動範囲の上端位置から下端位置まで直線移動させる動作は、可動装飾体５５を下端位置から上端位置まで直線移動させる動作と同様である。つまり、モータ６２が回転駆動することによって、第二回転位置にあった動作部材６６は、軸線Ａを中心として正面視で時計回りに回転し、第二位置にあったアーム部材７０は軸線Ｂを中心に正面視で時計回りに回転する。回転部８０は可動範囲の上端位置から下方に変位し、移動部材１１０と可動装飾体５５は、可動範囲の上端位置から下方に直線移動する。移動部材１１０は、付勢部材１０１の付勢力に抗って下方に直線移動する。この場合、移動部材１１０と可動装飾体５５の自重が、移動部材１１０の下方への直線移動を補助する。
【００４４】
センサ６７が検知部６９を検知したとき、モータ６２は回転駆動を停止する。これにより、動作部材６６は第一回転位置にて停止し、アーム部材７０は第一位置にて停止し、回転部８０、移動部材１１０、および可動装飾体５５はいずれも可動範囲の下端位置にて停止する。
【００４５】
以上説明したように、動作部材６６の軸線Ａを中心とした回転に伴い、回転部８０の回転部材８１は軸線Ｃを中心に回転しながら上方に直線移動する。移動部材１１０の直線移動量は、回転部材８１の回転移動量に、回転部材８１の直線移動量を加えた移動量になる。これにより、可動装飾体５５が取り付けられた移動部材１１０の直線移動量は大きくなる。よって、演出装置３０は、可動装飾体５５の変位量を大きくできる。
【００４６】
本例では、可動装飾体５５が可動範囲の下端位置にある場合、可動装飾体５５のうち上端部が表示面２７の下端部と正面視で重なる。一方、可動装飾体５５が可動範囲の上端位置にある場合、可動装飾体５５の略全体が表示面２７の下半分と正面視で重なる。つまり、可動装飾体５５が可動範囲の下端位置と上端位置との間を直線移動することで、表示面２７の外観は大きく変化する。従って、演出装置３０は、可動装飾体５５を移動させる演出を実行することによって、遊技者の興趣を強く惹き付けることができる。
【００４７】
アーム部材７０が回転すると、軸受部材８４は、開口部７６に対して、開口部７６の長手方向に相対移動する。これにより、回転部材８１は回転しながら上下方向に直線移動し、可動装飾体５５は上下動する。例えば、演出装置３０は、動作部材６６、アーム部材７０、および回転部８０に代えて、回転部材８１を回転可能に支持する支持部材（図示外）を上下方向に直線移動させる機構（以下、第一機構という）を備えても、回転部材８１を回転させながら上下方向に直線移動させることができる。しかしながら、第一機構は、支持部材に対して下側から当接するカム部材を回転させて支持部材を上下動させる機構、又は、支持部材と連結するクランク機構を駆動して支持部材を上下動させる機構等を備える必要がある。それ故、第一機構の構成は複雑化する。本例では、アーム部材７０の回転に連動して、アーム部材７０に取り付けられた回転部材８１が回転しながら上下動する構成となっているので、機構の簡易化が実現できる。よって、演出装置３０は、可動装飾体５５を変位させる機構を簡易化できる。
【００４８】
支持部材８２は軸受部材８４によって支持される。軸受部材８４は開口部７６に対して、開口部７６の長手方向に相対移動可能に嵌る。これにより、アーム部材７０の回転に伴い、回転部８０は開口部７６に沿ってスムーズに変位できる。故に、演出装置３０は可動装飾体５５の変位をスムーズにできる。
【００４９】
アーム部材７０の右端部７５は、前方から回転部材８１と対向する。これにより、回転部８０の前方への変位が規制される。従って、アーム部材７０が回転する場合において、回転部８０がアーム部材７０から脱落することはない。つまり、回転部材８１が歯部９２，１１２と噛み合わなくなることはない。よって、演出装置３０は、回転部材８１の上下方向の直線移動を安定化できる。故に、演出装置３０は、可動装飾体５５を安定した状態で上下動できる。
【００５０】
開口部７６は、アーム部材７０の右端部７５を前後方向に貫通する。これにより、軸受部材８４の筒状部８４Ａは、開口部７６に、前方および後方のいずれの方向からでも挿入できる。よって、軸受部材８４のアーム部材７０に対する組付性を向上できる。本例では、アーム部材７０が動作部材６６の前方に設けられるので、筒状部８４Ａは、開口部７６に前方から挿入された方が組み付け易い。筒状部８４Ａが開口部７６に前方から挿入されて、さらに回転部材８１の前面と当接する位置にて、軸受部材８４はアーム部材７０に組み付けられる。
【００５１】
アーム部材７０の回転に伴い、回転部８０は軸線Ｃを中心に回転する。鍔部８４Ｃと右端部７５とは、間隔を空けて対向するので互いに接触しにくい。従って、回転部８０が回転する場合の、軸受部材８４と開口部７６の間で生じる摩擦力は、低減する。よって、回転部８０は回転し易い。また、鍔部８４Ｃが右端部７５と対向することによって、回転部８０は後方への変位が規制される。これにより、アーム部材７０が回転する場合において、回転部８０がアーム部材７０から脱落することはない。つまり、回転部材８１が歯部９２，１１２と噛み合わなくなることはない。よって、演出装置３０は、回転部材８１の変位を安定化できる。故に、演出装置３０は、可動装飾体５５を安定した状態で上下動できる。
【００５２】
付勢部材１０１は、移動部材１１０を上方に付勢することで、移動部材１１０の上方への移動を補助する。これにより、演出装置３０は可動装飾体５５を上方に移動させ易い。従って、回転駆動するモータ６２に加わる負荷は、低減する。また、可動装飾体５５が下方に移動する場合、移動部材１１０は付勢部材１０１の付勢力に抗って下方に移動する必要がある。しかしながら、移動部材１１０および可動装飾体５５の自重が、移動部材１１０の下方への移動を補助するので、回転駆動するモータ６２に加わる負荷は、低減する。つまり、可動装飾体５５が上方および下方のいずれの方向に移動する場合であっても、演出装置３０は、モータ６２に加わる負荷を低減できる。よって、演出装置３０は、可動装飾体５５を上方および下方のいずれの方向に移動させる場合であっても、モータ６２に加わる負荷を低減できる。
【００５３】
モータ６２の回転駆動に伴って動作部材６６が回転すると、ピン６８が穴部７３に沿って移動し、アーム部材７０は回転する。従って、演出装置３０は、モータ６２の回転駆動に伴って動作部材６６を回転させる機構を簡易化できる。
【００５４】
穴部７３は、アーム部材７０のアーム延設方向の略中央部に設けられる。つまり、穴部７３は、アーム延設方向において、軸線Ｂ，Ｃの略中間位置に設けられる。穴部７３が、アーム部材７０の回転中心となる軸線Ｂに近接する場合と比べて、ピン６８はアーム部材７０を回転させ易い。従って、回転駆動するモータ６２に加わる負荷は低減する。よって、移動部材１１０の上下動は安定化する。
【００５５】
アーム部材７０は、正面視で、軸線Ｂ，Ｃの間を直線状に延びる略矩形状である。アーム部材７０が軸線Ｂ，Ｃの間で前後方向に折れ曲がる形状である場合に比べ、演出装置３０の前後方向の長さは短くなる。よって、演出装置３０は小型化できる。また、アーム部材７０が軸線Ｂ，Ｃの間で前後方向に折れ曲がる形状である場合に比べ、回転するアーム部材７０が受ける負荷は低減する。さらに、開口部７６が、アーム部材７０のうち軸線Ｂから離間する方向の端部である右端部７５に設けられるので、回転部材８１の直線移動量と回転移動量は、いずれも大きくなる。よって、演出装置３０は、可動装飾体５５の変位量を大きくできる。
【００５６】
歯部９２，１１２、回転部材８１、および動作部材６６は、いずれも、右端部７５に対して後側に設けられる。これにより、演出装置３０の前後方向の長さが短くなる。よって、演出装置３０を小型化できる。
【００５７】
上記実施形態において、パチンコ機１は本発明の「遊技機」の一例である。可動装飾体５５は本発明の「装飾体」の一例である。歯部９２は本発明の「第一歯部」の一例である。歯部１１２は本発明の「第二歯部」の一例である。右端部７５は本発明の「連結部位」の一例である。アーム部材７０は本発明の「作動部材」の一例である。筒孔８４Ｂは本発明の「挿入穴」の一例である。軸線Ｃは本発明の「第一軸線」の一例である。軸線Ｂは本発明の「第二軸線」の一例である。前側は本発明の「一方側」の一例である。上下方向は本発明の「第一所定方向」の一例である。前後方向は本発明の「第二所定方向」の一例である。左右方向は本発明の「対向する方向」の一例である。アーム延設方向は本発明の「第三所定方向」の一例である。
【００５８】
本発明は、上記実施形態に限定されるものではなく、種々の変更が可能であることは勿論である。演出装置３０は、可動装飾体５５を、上下方向に代えて左右方向又は前後方向に直線移動させる構成であってもよいし、例えば、正面視で上下方向および左右方向に対して傾斜する方向に、可動装飾体５５を直線移動させる構成であってもよい。
【００５９】
可動装飾体５５は直線移動することに限定されない。可動装飾体５５は、例えば、支持部材６０の右上方に、設けられた腕部材（図示外）に設けられてもよい。例えば、腕部材は、前後方向に延びる軸線（図示外）を中心に回転可能であり、移動部材１１０の上端部と連結する。この場合、モータ６２の回転駆動に伴い、可動装飾体５５は腕部材と共に回転移動する。
【００６０】
アーム部材７０は、正面視で軸線Ｂ，Ｃの間で直線状に延びる矩形状であることに限定されない。例えば、アーム部材７０は、正面視で、軸線Ｂから右方に延び、さらに後方に折れ曲がる形状であってもよい。この場合、歯部９２，１１２は、左右方向に代えて前後方向に間隔を空けて対向し、回転部８０の軸線Ｃは、前後方向に代えて左右方向に延びる。
【００６１】
アーム部材７０は、開口部７６を備えなくてもよい。例えば、右端部７５と回転部８０は、スライドレール（図示外）を介して、互いに連結してもよい。この場合、例えば、スライドレールの固定レール（図示外）が右端部７５に固定され、スライドレールの可動レールが回転部８０に固定される。回転部８０の可動レールが、右端部７５の固定レールに対して、アーム延設方向に移動可能に連結する。これにより、アーム部材７０の回転に伴って、回転部８０は、右端部７５に対して相対移動する。
【００６２】
動作部材６６は、モータ６２の回転駆動に伴って、軸線Ａを中心に回転する代わりに、例えば上下動してもよい。この場合であっても、動作部材６６の上下動に伴って、動作部材６６に網けられたピン６８が、穴部７３の長手方向に沿って移動することで、アーム部材７０は回転する。また、穴部７３が動作部材６６に設けられ、ピン６８がアーム部材７０に設けられてもよい。
【００６３】
穴部７３は、アーム部材７０のアーム延設方向の中央部に代えて、筒状部７１に近接する位置、又は、右端部７５に近接する位置に設けられてもよい。例えば穴部７３が右端部７５に近接する位置に設けられる場合、ピン６８がアーム部材７０を回転させるためにモータ６２が要する駆動力は、更に低減する。
【００６４】
回転部８０は、締結部材８５を備えることに限定されない。例えば、軸受部材８４の前方で、支持部材８２の延設部８２Ａに止め輪を取り付ければ、締結部材８５は不要となる。この場合、アーム部材７０が回転する場合に、支持部材８２及び回転部材８１が一体的に、軸受部材８４とは独立して回転してもよい。
【００６５】
開口部７６の長手方向は、アーム部材７０のアーム延設方向と平行ではなく、アーム延設方向と交差してもよい。この場合、回転部８０が右端部７５に対して相対移動する方向は、アーム延設方向とは異なる方向となる。
【００６６】
また、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【００６７】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【００６８】
＜備考＞
以下、本開示の作用効果を例示する。下記の構成に注記したカッコ書きは、対応する本開示の構成を例示する。
【００６９】
装飾体（可動装飾体５５）を変位させる演出装置（演出装置３０）であって、第一所定方向（上下方向）に直線状に延びる第一歯部（歯部９２）を有し、所定の位置で固定される固定部材（固定部材９０）と、前記第一歯部と間隔を空けて対向する位置で前記第一所定方向に直線状に延びる第二歯部（歯部１１２）を有し、前記第一所定方向の直線移動に伴い前記装飾体を変位させる移動部材（移動部材１１０）と、前記第一歯部と前記第二歯部が対向する方向（左右方向）と、前記第一所定方向との夫々と直交する第二所定方向（前後方向）に延びる第一軸線（軸線Ｃ）を中心に回転する部材であって、回転方向に延び、且つ前記第一歯部と前記第二歯部に噛み合う噛合部（８１Ａ）を有する回転部材（回転部材８１）と、前記回転部材を支持する支持部材（支持部材８２）と、前記支持部材に対して、前記第一所定方向と前記第二所定方向の夫々と交差する第三所定方向（アーム延設方向）に相対移動可能に連結する部位である連結部位（右端部７５）を有し、前記第一軸線とは異なる第二軸線（軸線Ｂ）を中心に回転する作動部材（アーム部材７０）とを備えた演出装置。
【００７０】
上記構成によれば、作動部材が第二軸線を中心に回転すると、回転部材は、第一軸線を中心に回転しながら、第一所定方向に直線移動する。移動部材の直線移動量は、回転部材の直線移動量と回転部材の回転移動量とを合計した移動量になる。よって、装飾体の変位量が大きくできる演出装置が実現される。尚、本発明の「作動部材」は「第一作動部材」に置換可能である。
【００７１】
前記作動部材は、前記連結部位に設けられ、前記第三所定方向に長い開口部（開口部７６）を備え、前記支持部材は、前記開口部に対して、前記第三所定方向に相対移動可能に挿入されてもよい。この場合、作動部材が回転すると、支持部材が開口部に対して相対移動し、回転部材は回転しながら直線移動する。作動部材の回転に伴って回転部材が回転しながら直線移動する構造は、開口部に支持部材が相対移動可能に挿入される構造によって実現される。よって、演出装置は、装飾体を変位させる機構を簡易化できる。
【００７２】
前記第二所定方向に延びる筒状部（筒状部８４Ａ）を有する軸受部材（軸受部材８４）を備え、前記筒状部は、前記支持部材が挿入される挿入穴（筒孔８４Ｂ）が内側に形成され、前記開口部に対して前記第三所定方向に相対移動可能に嵌ってもよい。この場合、開口部に軸受部材が嵌ることによって、支持部材が開口部に対して相対移動する動きが滑らかになる。よって、演出装置は、回転部材の変位をスムーズにできる。
【００７３】
前記連結部位は、前記回転部材に対して、前記第二所定方向の一方側（前側）から対向してもよい。この場合、連結部位によって、回転部材は、一方側への変位が規制される。よって、演出装置は、回転部材の第一所定方向の直線移動を安定化できる。
【００７４】
前記開口部は、前記連結部位を前記第二所定方向に貫通してもよい。この場合、軸受部材は開口部に挿入し易くなる。よって、軸受部材の作動部材に対する組付性を向上できる。
【００７５】
前記支持部材を前記軸受部材に締結させる締結部材（締結部材８５）を備え、前記筒状部は、前記開口部に対して回転可能に嵌り、前記軸受部材は、前記筒状部の前記回転部材とは反対側の端部に設けられると共に、前記反対側から前記連結部位と間隔を空けて対向する鍔部（鍔部８４Ｃ）を備え、前記回転部材は、前記第二所定方向を向く孔部（孔部８１Ｂ）を備え、前記支持部材は、前記第二所定方向に延び、前記孔部に差し込まれ且つ前記挿入穴に挿入され、一端部が前記第二所定方向において前記鍔部と略同じ位置にある延設部（延設部８２Ａ）と、前記延設部の前記一端部に設けられ、前記反対側を向く締結穴（締結穴８２Ｂ）とを備え、前記締結部材は、前記締結穴に締結される軸部（軸部８５Ａ）と、前記軸部に設けられ、前記反対側から前記鍔部を押圧する頭部（頭部８５Ｂ）とを備えてもよい。この場合、作動部材の回転に伴い、回転部材、支持部材、軸受部材、及び締結部材は、一体的に回転する。鍔部が連結部と間隔を空けて対向するので、回転部材は回転し易い。また、回転部材は、鍔部から連結部位に向かう方向への移動が規制される。よって、演出装置は、回転部材の変位を安定化できる。
【００７６】
前記移動部材を前記第一所定方向のうち第一方向に付勢する付勢手段（付勢部材１０１）を備え、前記第一所定方向は上下方向であり、前記第一方向は上方向であってもよい。この場合、付勢手段は、移動部材の上方向への移動を補助するので、演出装置は装飾体を変位させ易い。
【００７７】
駆動する駆動手段（モータ６２）と、前記駆動手段の駆動に伴って、前記第一軸線及び前記第二軸線とは異なる第三軸線（軸線Ａ）を中心に回転する第二作動部材（動作部材６６）と、前記作動部材と前記第二作動部材のいずれか一方に設けられ、前記第三軸線と交差する方向（アーム延設方向）に長い穴部（穴部７３）と、前記作動部材と前記第二作動部材のいずれか他方に設けられ、前記穴部に対して、前記穴部の長手方向に相対移動可能に挿入される挿通部（ピン６８）とを備えてもよい。この場合、駆動手段の駆動に伴って第二作動部材が回転する。これにより、作動部材は回転する。演出装置は、駆動手段の駆動に伴って作動部材を回転させる機構を簡易化できる。
【００７８】
前記穴部は、前記第三所定方向において、前記第一軸線と、前記第二軸線との略中間位置に配置されてもよい。この場合、穴部が、第二軸線に近接する場合と比べ、作動部材は第二作動部材を回転させ易い。
【００７９】
前記作動部材は、前記第二軸線と前記第一軸線の間を直線状に延び、前記連結部位は、前記第二軸線から離間する方向の端部であってもよい。この場合、作動部材が直線状に延びることによって、演出装置は装飾体を変位させる機構を小型化できる。また、作動部材が直線状であることで、回転する作動部材に加わる負荷は低減する。また、連結部位が第二軸線から離間する方向の端部であることで、回転部材の直線移動量と回転移動量は、いずれも増加する。よって、演出装置は、装飾体の変位量を増加させることができる。
【００８０】
前記第一歯部、前記第二歯部、前記回転部材、及び前記第二作動部材は、いずれも、前記連結部位に対して、前記第二所定方向のうち特定方向（後方向）の側に設けられてもよい。この場合、演出装置の第二所定方向の長さが短くなるので、演出装置を小型化できる。
【００８１】
上記演出装置を備えた遊技機（パチンコ機１）。この場合、遊技機は上記演出装置と同様の効果を奏する。
【符号の説明】
【００８２】
１            パチンコ機
３０          演出装置
５５          可動装飾体
７０          アーム部材
７５          右端部
７６          開口部
８１          回転部材
８１Ａ        噛合部
８２          支持部材
８４          軸受部材
８４Ａ        筒状部
８４Ｃ        筒孔
９０          固定部材
９２，１１２  歯部
１０１        付勢部材
１１０        移動部材
Ｂ，Ｃ        軸線
【図１】
2020006246.tif 000003
【図２】
2020006246.tif 000004
【図３】
2020006246.tif 000005
【図４】
2020006246.tif 000006
【図５】
2020006246.tif 000007
【図６】
2020006246.tif 000008
【図７】
2020006246.tif 000009
【図８】
2020006246.tif 000010